(57)【要約】【課題】  株購入の初心者であっても、投資指標などについての勉強をしながら、投資銘柄の選定を容易に行うことのできる投資銘柄選定支援装置を提供する。【解決手段】  投資銘柄の選択と、投資指標の選択と、を促す画面をユーザの端末へ出力する。またその画面において、投資指標の選択を受付けた場合に、当該選択された投資指標の値を用いて各投資銘柄の順位を決定する。また前記画面において選択を受付けた投資指標の説明の情報を示す画面のデータをユーザの端末へ出力する。さらに決定された順位に基づく所定の上位の投資銘柄の一覧と、投資指標の選択と、を促す画面をユーザの端末へ出力する。そして、投資指標が選択される度に、投資銘柄の順位の決定と、投資銘柄の絞込みの処理を行う。【選択図】    図１
2006277463.tif 000002
【特許請求の範囲】
【請求項１】
投資銘柄の選定を支援するための投資銘柄選定支援装置であって、
少なくとも株主優待、株価配当、キャピタルゲインの各投資メリットの情報の選択を前記ユーザに促す投資メリット選択画面を前記ユーザの端末へ出力する投資メリット選択画面出力部と、
前記投資メリット情報ごとの投資銘柄の一覧を記憶する投資メリット・銘柄一覧記憶部と、
前記投資銘柄ごとの各投資指標の値を記憶する投資指標値記憶部と、
前記投資指標ごとの当該投資指標の説明情報を記憶する投資指標説明情報記憶部と、
前記投資メリット情報の選択を受付けることにより、当該投資メリット情報に対応して前記投資メリット・銘柄一覧情報に記憶する投資銘柄の一覧を読み込んで、当該一覧の何れかの投資銘柄の選択と、前記投資指標の選択と、を促す第１銘柄選定画面を前記ユーザの端末へ出力する第１銘柄選定画面出力部と、
前記投資指標の選択を受付けた場合に、当該選択された投資指標の値を用いて前記第１銘柄選定画面で出力した投資銘柄の前記投資指標に基づく順位を決定する投資銘柄順位決定部と、
前記選択を受付けた投資指標の説明情報を前記投資指標説明情報記憶部から読み込んで、その投資指標の説明情報の画面を前記ユーザの端末へ出力する説明情報画面出力部と、
前記決定された順位に基づく所定の上位の投資銘柄の一覧と、前記投資指標の選択と、を促す第２銘柄選定画面を前記ユーザの端末へ出力する第２銘柄選定画面出力部と、
を備え、
前記投資銘柄順位決定部と、前記第２銘柄選定画面出力部は、それぞれ、前記第２銘柄選定画面で投資指標が選択される度に、前記第２銘柄選定画面の投資銘柄の前記投資指標における順位の決定と、前記第２銘柄選定画面の出力とを行い、順次投資銘柄の絞込みを行う
ことを特徴とする投資銘柄選定支援装置。
【請求項２】
前記投資メリット情報は、
前記株主優待である場合にはその優待推定商品の情報を含み、
前記株価配当である場合にはその配当推定金額の情報を含み、
前記キャピタルゲインである場合にはキャピタルゲイン推定金額の情報を含み、
前記第１銘柄選定画面は、前記株主優待と共に前記優待推定商品の選定を促し、前記株価配当と共にその配当推定金額の選定を促し、前記キャピタルゲインと共にそのキャピタルゲイン推定金額の選定を促す画面である
ことを特徴とする請求項１に記載の投資銘柄選定支援装置。
【請求項３】
前記投資指標は、
ＰＥＲ（株価収益率）、ＰＢＲ（株価純資産倍率）、ＰＳＲ（株価売上高倍率）、ＢＰＳ（１株当りの純資産額）、ＲＯＥ（株主資本利益率）、ＲＯＡ（総資産利益率）、売上高経常利益率、売上高純利益率、売上高伸率、株主資本比率、経常利益伸率、純利益伸率、売上高、経常利益、純利益、一株利益の、少なくとも何れか一つまたは複数である
ことを特徴とする請求項１または請求項２に記載の投資銘柄選定支援装置。
【請求項４】
前記第２銘柄選定画面は、各投資銘柄の何れかの購入を促す情報を表示し、
前記第２銘柄選定画面において投資銘柄の何れかの購入を受付ける購入受付手段と、
を備えることを特徴とする請求項１から請求項３の何れかに記載の投資銘柄選定支援装置。
【請求項５】
投資銘柄の選定を支援するための投資銘柄選定支援装置における投資銘柄選定支援方法であって、
前記投資銘柄選定支援装置の投資メリット選択画面出力部が、少なくとも株主優待、株価配当、キャピタルゲインの各投資メリットの情報の選択を前記ユーザに促す投資メリット選択画面を前記ユーザの端末へ出力し、
前記投資銘柄選定支援装置の投資メリット・銘柄一覧記憶部が、前記投資メリット情報ごとの投資銘柄の一覧を記憶し、
前記投資銘柄選定支援装置の投資指標値記憶部が、前記投資銘柄ごとの各投資指標の値を記憶し、
前記投資銘柄選定支援装置の投資指標説明情報記憶部が、前記投資指標ごとの当該投資指標の説明情報を記憶し、
前記投資銘柄選定支援装置の第１銘柄選定画面出力部が、前記投資メリット情報の選択を受付けることにより、当該投資メリット情報に対応して前記投資メリット・銘柄一覧情報に記憶する投資銘柄の一覧を読み込んで、当該一覧の何れかの投資銘柄の選択と、前記投資指標の選択と、を促す第１銘柄選定画面を前記ユーザの端末へ出力し、
前記投資銘柄選定支援装置の投資銘柄順位決定部が、前記投資指標の選択を受付けた場合に、当該選択された投資指標の値を用いて前記第１銘柄選定画面で出力した投資銘柄の前記投資指標に基づく順位を決定し、
前記投資銘柄選定支援装置の説明情報画面出力部が、前記選択を受付けた投資指標の説明情報を前記投資指標説明情報記憶部から読み込んで、その投資指標の説明情報の画面を前記ユーザの端末へ出力し、
前記投資銘柄選定支援装置の第２銘柄選定画面出力部が、前記決定された順位に基づく所定の上位の投資銘柄の一覧と、前記投資指標の選択と、を促す第２銘柄選定画面を前記ユーザの端末へ出力し、
前記投資銘柄選定支援装置の前記投資銘柄順位決定部と前記第２銘柄選定画面出力部は、それぞれ、前記第２銘柄選定画面で投資指標が選択される度に、前記第２銘柄選定画面の投資銘柄の前記投資指標における順位の決定と、前記第２銘柄選定画面の出力とを行い、順次投資銘柄の絞込みを行う
ことを特徴とする投資銘柄選定支援方法。
【請求項６】
少なくとも株主優待、株価配当、キャピタルゲインの各投資メリット情報ごとの投資銘柄の一覧を記憶する投資メリット・銘柄一覧記憶部と、
前記投資銘柄ごとの各投資指標の値を記憶する投資指標値記憶部と、
前記投資指標ごとの当該投資指標の説明情報を記憶する投資指標説明情報記憶部と、
を備え、
投資銘柄の選定を支援するための投資銘柄選定支援装置のコンピュータに実行させるプログラムであって、
前記各投資メリットの情報の選択を前記ユーザに促す投資メリット選択画面を前記ユーザの端末へ出力する処理と、
前記投資メリット情報の選択を受付けることにより、当該投資メリット情報に対応して前記投資メリット・銘柄一覧情報に記憶する投資銘柄の一覧を読み込んで、当該一覧の何れかの投資銘柄の選択と、前記投資指標の選択と、を促す第１銘柄選定画面を前記ユーザの端末へ出力する処理と、
前記投資指標の選択を受付けた場合に、当該選択された投資指標の値を用いて前記第１銘柄選定画面で出力した投資銘柄の前記投資指標に基づく順位を決定する処理と、
前記選択を受付けた投資指標の説明情報を前記投資指標説明情報記憶部から読み込んで、その投資指標の説明情報の画面を前記ユーザの端末へ出力する処理と、
前記決定された順位に基づく所定の上位の投資銘柄の一覧と、前記投資指標の選択と、を促す第２銘柄選定画面を前記ユーザの端末へ出力する処理と、
前記第２銘柄選定画面で投資指標が選択される度に、前記第２銘柄選定画面の投資銘柄の前記投資指標における順位の決定と、前記第２銘柄選定画面の出力とを行い、順次投資銘柄の絞込みを行う処理と、
をコンピュータに実行させるプログラム。
【発明の詳細な説明】
【技術分野】
【０００１】
本発明は、購入する株などの投資銘柄の選定を、投資指標などの情報を学びながら行うことのできる、投資銘柄選定支援装置および投資銘柄選定支援方法ならびにそのプログラムに関する。
【背景技術】
【０００２】
従来より、株の購入などを行うにあたり、証券会社のサーバがインターネット上に配信するウェブページへアクセスし、株を選定して購入するサービスが証券会社などから提供されている。このようなウェブページによる株の購入においては、ＰＥＲ（株価収益率）、ＰＢＲ（株価純資産倍率）、ＲＯＥ（株主資本利益率）、売上高、経常利益、純利益などの投資指標を入力することにより、投資銘柄の選定（スクリーニング）を行うことのできる技術が利用され、またその技術について公開されている（特許文献１参照）。
【特許文献１】特開２００２−６３３６１号公報
【発明の開示】
【発明が解決しようとする課題】
【０００３】
しかしながら、上述のような投資指標によって銘柄を選定を行うサービスは、その投資指標が何かを知らない株購入初心者などが利用することは中々難しい。従って、株購入の初心者であっても、投資指標などについての勉強をしながら、投資銘柄の選定を行える仕組みがあることが望まれる。
【０００４】
そこでこの発明は、株購入の初心者であっても、投資指標などについての勉強をしながら、投資銘柄の選定を容易に行うことのできる投資銘柄選定支援装置および投資銘柄選定支援方法ならびにそのプログラムを提供することを目的としている。
【課題を解決するための手段】
【０００５】
本発明は、上述の課題を解決すべくなされたもので、投資銘柄の選定を支援するための投資銘柄選定支援装置であって、少なくとも株主優待、株価配当、キャピタルゲインの各投資メリットの情報の選択を前記ユーザに促す投資メリット選択画面を前記ユーザの端末へ出力する投資メリット選択画面出力部と、前記投資メリット情報ごとの投資銘柄の一覧を記憶する投資メリット・銘柄一覧記憶部と、前記投資銘柄ごとの各投資指標の値を記憶する投資指標値記憶部と、前記投資指標ごとの当該投資指標の説明情報を記憶する投資指標説明情報記憶部と、前記投資メリット情報の選択を受付けることにより、当該投資メリット情報に対応して前記投資メリット・銘柄一覧情報に記憶する投資銘柄の一覧を読み込んで、当該一覧の何れかの投資銘柄の選択と、前記投資指標の選択と、を促す第１銘柄選定画面を前記ユーザの端末へ出力する第１銘柄選定画面出力部と、前記投資指標の選択を受付けた場合に、当該選択された投資指標の値を用いて前記第１銘柄選定画面で出力した投資銘柄の前記投資指標に基づく順位を決定する投資銘柄順位決定部と、前記選択を受付けた投資指標の説明情報を前記投資指標説明情報記憶部から読み込んで、その投資指標の説明情報の画面を前記ユーザの端末へ出力する説明情報画面出力部と、前記決定された順位に基づく所定の上位の投資銘柄の一覧と、前記投資指標の選択と、を促す第２銘柄選定画面を前記ユーザの端末へ出力する第２銘柄選定画面出力部と、を備え、前記投資銘柄順位決定部と、前記第２銘柄選定画面出力部は、それぞれ、前記第２銘柄選定画面で投資指標が選択される度に、前記第２銘柄選定画面の投資銘柄の前記投資指標における順位の決定と、前記第２銘柄選定画面の出力とを行い、順次投資銘柄の絞込みを行うことを特徴とする投資銘柄選定支援装置である。
【０００６】
また本発明は、前記投資メリット情報は、前記株主優待である場合にはその優待推定商品の情報を含み、前記株価配当である場合にはその配当推定金額の情報を含み、前記キャピタルゲインである場合にはキャピタルゲイン推定金額の情報を含み、前記第１銘柄選定画面は、前記株主優待と共に前記優待推定商品の選定を促し、前記株価配当と共にその配当推定金額の選定を促し、前記キャピタルゲインと共にそのキャピタルゲイン推定金額の選定を促す画面であることを特徴とする。
【０００７】
また本発明は、前記投資指標は、ＰＥＲ（株価収益率）、ＰＢＲ（株価純資産倍率）、ＰＳＲ（株価売上高倍率）、ＢＰＳ（１株当りの純資産額）、ＲＯＥ（株主資本利益率）、ＲＯＡ（総資産利益率）、売上高経常利益率、売上高純利益率、売上高伸率、株主資本比率、経常利益伸率、純利益伸率、売上高、経常利益、純利益、一株利益の、少なくとも何れか一つまたは複数であることを特徴とする。
【０００８】
また本発明は、前記第２銘柄選定画面は、各投資銘柄の何れかの購入を促す情報を表示し、前記第２銘柄選定画面において投資銘柄の何れかの購入を受付ける購入受付手段と、を備えることを特徴とする。
【０００９】
また本発明は、投資銘柄の選定を支援するための投資銘柄選定支援装置における投資銘柄選定支援方法であって、前記投資銘柄選定支援装置の投資メリット選択画面出力部が、少なくとも株主優待、株価配当、キャピタルゲインの各投資メリットの情報の選択を前記ユーザに促す投資メリット選択画面を前記ユーザの端末へ出力し、前記投資銘柄選定支援装置の投資メリット・銘柄一覧記憶部が、前記投資メリット情報ごとの投資銘柄の一覧を記憶し、前記投資銘柄選定支援装置の投資指標値記憶部が、前記投資銘柄ごとの各投資指標の値を記憶し、前記投資銘柄選定支援装置の投資指標説明情報記憶部が、前記投資指標ごとの当該投資指標の説明情報を記憶し、前記投資銘柄選定支援装置の第１銘柄選定画面出力部が、前記投資メリット情報の選択を受付けることにより、当該投資メリット情報に対応して前記投資メリット・銘柄一覧情報に記憶する投資銘柄の一覧を読み込んで、当該一覧の何れかの投資銘柄の選択と、前記投資指標の選択と、を促す第１銘柄選定画面を前記ユーザの端末へ出力し、前記投資銘柄選定支援装置の投資銘柄順位決定部が、前記投資指標の選択を受付けた場合に、当該選択された投資指標の値を用いて前記第１銘柄選定画面で出力した投資銘柄の前記投資指標に基づく順位を決定し、前記投資銘柄選定支援装置の説明情報画面出力部が、前記選択を受付けた投資指標の説明情報を前記投資指標説明情報記憶部から読み込んで、その投資指標の説明情報の画面を前記ユーザの端末へ出力し、前記投資銘柄選定支援装置の第２銘柄選定画面出力部が、前記決定された順位に基づく所定の上位の投資銘柄の一覧と、前記投資指標の選択と、を促す第２銘柄選定画面を前記ユーザの端末へ出力し、前記投資銘柄選定支援装置の前記投資銘柄順位決定部と前記第２銘柄選定画面出力部は、それぞれ、前記第２銘柄選定画面で投資指標が選択される度に、前記第２銘柄選定画面の投資銘柄の前記投資指標における順位の決定と、前記第２銘柄選定画面の出力とを行い、順次投資銘柄の絞込みを行うことを特徴とする投資銘柄選定支援方法である。
【００１０】
また本発明は、少なくとも株主優待、株価配当、キャピタルゲインの各投資メリット情報ごとの投資銘柄の一覧を記憶する投資メリット・銘柄一覧記憶部と、前記投資銘柄ごとの各投資指標の値を記憶する投資指標値記憶部と、前記投資指標ごとの当該投資指標の説明情報を記憶する投資指標説明情報記憶部と、を備え、投資銘柄の選定を支援するための投資銘柄選定支援装置のコンピュータに実行させるプログラムであって、前記各投資メリットの情報の選択を前記ユーザに促す投資メリット選択画面を前記ユーザの端末へ出力する処理と、前記投資メリット情報の選択を受付けることにより、当該投資メリット情報に対応して前記投資メリット・銘柄一覧情報に記憶する投資銘柄の一覧を読み込んで、当該一覧の何れかの投資銘柄の選択と、前記投資指標の選択と、を促す第１銘柄選定画面を前記ユーザの端末へ出力する処理と、前記投資指標の選択を受付けた場合に、当該選択された投資指標の値を用いて前記第１銘柄選定画面で出力した投資銘柄の前記投資指標に基づく順位を決定する処理と、前記選択を受付けた投資指標の説明情報を前記投資指標説明情報記憶部から読み込んで、その投資指標の説明情報の画面を前記ユーザの端末へ出力する処理と、前記決定された順位に基づく所定の上位の投資銘柄の一覧と、前記投資指標の選択と、を促す第２銘柄選定画面を前記ユーザの端末へ出力する処理と、前記第２銘柄選定画面で投資指標が選択される度に、前記第２銘柄選定画面の投資銘柄の前記投資指標における順位の決定と、前記第２銘柄選定画面の出力とを行い、順次投資銘柄の絞込みを行う処理と、をコンピュータに実行させるプログラムである。
【発明の効果】
【００１１】
本発明によれば、株購入に関して初心者であるユーザが、投資指標の説明情報を学びながら、株主優待や株価配当やキャピタルゲインなどの投資メリットのうち重視する投資メリットの得られる投資銘柄一覧を参照することができる。そして、投資指標のうちユーザが重視する投資指標に基づいて投資銘柄の絞込みを行うことができるので、初心者であっても、容易に、また適切に投資銘柄の選定をすることができる。
【発明を実施するための最良の形態】
【００１２】
以下、本発明の一実施形態による投資銘柄選定支援装置を図面を参照して説明する。図１は同実施形態による投資銘柄選定支援装置の構成を示すブロック図である。
この図において、符号１は株の購入の際の投資銘柄の選定を支援する投資銘柄選定支援装置である。また２はユーザが利用する端末である。また３はインターネットなどの通信ネットワークである。そして投資銘柄選定支援装置１と端末２とは通信ネットワークを介して接続されている。
【００１３】
また投資銘柄選定支援装置１において、符号１０１は端末２と情報を送受信する通信部である。また１０２は投資銘柄選定支援装置１の各処理部を制御する制御部である。また１０３は端末２へウェブページの画面のデータを送信するウェブサーバ処理部である。また１０４は投資銘柄の選定を促す画面の生成など、投資銘柄の選定を支援するための処理を行う銘柄選定部である。また１０５は投資指標の値に基づいて、所定投資銘柄の順位を決定する投資銘柄順位決定部である。また１０６は投資銘柄の選定に基づいて当該銘柄の株の購入を受付ける購入受付部である。
【００１４】
また１０７は投資銘柄ごとの各投資指標の値などを記憶した投資銘柄情報記憶部である。また１０８は予想される株主優待の商品ごとの投資銘柄を記憶する株主優待重視銘柄記憶部である。また１０９は投資銘柄ごとの予想される株価配当の情報を記憶した株価配当重視銘柄記憶部である。また１１０は投資銘柄ごとの予想されるキャピタルゲインの情報（例えば所定の期間ごとの株価値上がり率など）を記憶するキャピタルゲイン重視銘柄記憶部である。また１１１は投資指標の説明文の情報などが記憶されている説明情報記憶部である。また１１２はユーザの属性情報や株購入履歴などの情報を記憶する顧客情報記憶部である。
【００１５】
そして、本実施形態においては、投資銘柄選定支援装置１は、少なくとも株主優待、株価配当、キャピタルゲインの各投資メリットの情報の選択をユーザに促す投資メリット選択画面をユーザの端末へ出力し、その画面において投資メリット情報の選択を受付けることにより、当該投資メリット情報に対応して記憶する投資銘柄の一覧を読み込んで、当該一覧の何れかの投資銘柄の選択と、投資指標の選択と、を促す画面をユーザの端末へ出力する。またその画面において、投資指標の選択を受付けた場合に、当該選択された投資指標の値を用いて各投資銘柄の順位を決定する。また前記画面において選択を受付けた投資指標の説明の情報を示す画面のデータをユーザの端末へ出力する。さらに決定された順位に基づく所定の上位の投資銘柄の一覧と、投資指標の選択と、を促す画面をユーザの端末へ出力する。そして、投資指標が選択される度に、投資銘柄の順位の決定と、投資銘柄の絞込みの処理を行う。
【００１６】
図２は、投資銘柄選定支援装置１の処理概要を示す図である。
この図が示すように、端末２を用いて投資銘柄選定支援装置１へアクセスすると、端末２のモニタには投資の初心者、中級者、上級者の選択を行うウェブページが表示される（ａ）。そして、初級者を選択すると、投資指標などの株についての情報を学びながら投資銘柄の選定を行っていくことができる。ここで、初心者であるユーザは初めに投資メリットとして重視する要件を選定する（ｂ）。たとえば投資メリットとなる要件は、株主優待、株価配当、キャピタルゲインなどの情報である。投資メリットにおいて重視する要件を指定すると、その投資銘柄の一覧が表示される。さらにこの一覧から投資銘柄を絞っていく際に、ＰＥＲ（株価収益率）、ＰＢＲ（株価純資産倍率）、ＲＯＥ（株主資本利益率）、売上高、経常利益、純利益などの投資指標の情報に基づいて絞っていくことで、より投資メリットが得られる投資銘柄を選定することができる。しかしながら初心者であるユーザは投資指標については馴染みがないケースが多く、どのように投資銘柄を絞っていけば良いのかが分からない。ここで、この装置においては、投資指標についての説明情報を端末２のモニタに表示し、Ｅラーニングにより、株についての学ぶ機会を提供する（ｃ）。また選択された投資指標に基づいて、投資銘柄の一覧を絞って行き、最終的な投資銘柄の一覧の中からユーザの選択した銘柄の株の購入処理を行う（ｄ）。
【００１７】
図３は投資銘柄選定支援装置の処理フローを示す図である。
次に図３を用いて投資銘柄選定支援装置の処理について説明する。
まず、図２に示したように、ユーザが端末２を用いて投資銘柄選定支援装置１にアクセスすると、ウェブサーバ処理部１０３が銘柄スクリーニングメニューの画面データを端末２へ送信する。この銘柄スクリーニングメニューにおいては初級者、中級者、上級者の選択を行うことができ、ユーザが初級者を選択すると、その情報が送信され、投資銘柄選定支援装置１が受付ける（ステップＳ１０１）。するとウェブサーバ処理部１０３は投資メリットの選択画面のデータを端末２に送信する。この画面には投資メリットして重視する要件の一覧が表示されており、その選択を促すボタンが表示されている。この投資メリットして重視する要件とは、例えば、株主優待、株価配当、キャピタルゲインなどである。
【００１８】
ユーザが端末２において、例えば株主優待を選択すると、投資メリットの要件として株主優待の情報が送信され、投資銘柄選定支援装置１が受付ける（ステップＳ１０２）。そして、株主優待の商品の一覧の画面データをウェブサーバ処理部１０３が端末２に送信する。その株主優待の商品の一覧において、ユーザが株主優待として受け取りたい商品を選択すると、その情報が端末２から投資銘柄選定支援装置１へ送信される。投資銘柄選定支援装置１においては、銘柄選定部１０４が株主優待の商品に対応付けられて株主優待重視銘柄記憶部１０８に記録されている投資銘柄の一覧を読み出して、当該投資銘柄の一覧といずれかの銘柄の選択を促すためのボタンと投資指標の一覧とを表示する画面を生成し、ウェブサーバ処理部１０３に送信するよう指示する。ウェブサーバ処理部１０３は銘柄選定部１０４の生成した画面のデータ（第１銘柄選定画面）を端末２に送信する（ステップＳ１０３）。
【００１９】
なおステップＳ１０２の処理において投資メリットの要件として株価配当の情報が選択された場合には、銘柄選定部１０４は、株価配当重視銘柄記憶部１０９から投資銘柄の一覧が読み込む。そして、株価配当重視銘柄記憶部１０９に投資銘柄ごとに予想される株価配当の金額の順で表示するための画面のデータを生成し、当該画面のデータをウェブサーバ処理部１０３を介して端末２へ送信する。
またステップＳ２の処理において投資メリットの要件としてキャピタルゲインの情報が選択された場合には、銘柄選定部１０４は、キャピタルゲイン重視銘柄記憶部１１０から投資銘柄の一覧が読み込む。そして、キャピタルゲイン重視銘柄記憶部１１０に投資銘柄ごとに予想される所定期間における株価増加率などの順で表示するための画面のデータを生成し、当該画面のデータをウェブサーバ処理部１０３を介して端末２へ送信する。
【００２０】
端末２においては投資銘柄選定支援装置１から送信された画面データをモニタに表示する。ここでユーザが端末２から投資銘柄を選択すると、その選択した旨の情報が投資銘柄選定支援装置１へ送信される。銘柄選定部１０４は、受信した投資銘柄の情報を投資銘柄情報記憶部１０７から読み取って、それら情報を表示する画面を生成して、ウェブサーバ処理部１０３経由で端末２へ送信する。これにより投資銘柄の各情報を端末２で参照することができる。なお投資銘柄の各情報とは、当該投資銘柄におけるＰＥＲ（株価収益率）、ＰＢＲ（株価純資産倍率）、ＰＳＲ（株価売上高倍率）、ＢＰＳ（１株当りの純資産額）、ＲＯＥ（株主資本利益率）、ＲＯＡ（総資産利益率）、売上高経常利益率、売上高純利益率、売上高伸率、株主資本比率、経常利益伸率、純利益伸率、売上高、経常利益、純利益、一株利益などの各種投資指標の値や、株価チャートや過去の業績を示すグラフなどである。
【００２１】
次に、端末２のモニタに表示されている画面において、投資指標の一つを選択すると、その選択した旨の情報が送信され、投資銘柄選定支援装置１が受付ける（ステップＳ１０４）。すると銘柄選定部１０４は選択された投資指標の情報に対応付けられて説明情報記憶部１１１に記録されている当該投資指標の説明文を画面に表示するためのデータを生成して、ウェブサーバ処理部１０３を介して端末２へ送信する（ステップＳ１０５）。これにより、ユーザは投資指標について学ぶことができる。
【００２２】
また、画面には投資指標に基づく一覧の絞込みを指示するボタンなどが表示されており、この選択に基づいて、端末２は選択された投資指標に基づく一覧の絞込みの指示の情報を送信し、投資銘柄選定支援装置１が受付ける（ステップＳ１０６）。すると、投資銘柄順位決定部１０５は既に送信した画面において一覧により示している各投資銘柄についての投資指標の値を投資銘柄情報記憶部１０７から読み込む。そして、その投資指標の値に基づいて各投資銘柄の順位を決定する（ステップＳ１０７）。例えば選択された投資指標が売上高伸率であれば、各投資銘柄の売上高伸率を比較して売上高伸率の高い順に順位を決定する。この順位の決定の処理は、投資指標毎に異なるが、投資指標の値に基づいて順位を算出する処理により決定される。そして所定の数の投資銘柄を決定された順位の順に表示する画面（第２銘柄選定画面）を生成し、その画面のデータをウェブサーバ処理部１０３を介して端末２に送信する（ステップＳ１０８）。またこの新たに生成された画面には、投資銘柄の一覧のほかに投資銘柄の選択を促すボタンや、投資指標の選択を促すボタンや、投資指標に基づいて絞込みを行うことを指示するボタンなどが表示されている。
【００２３】
また、この画面において、再度ユーザが投資指標に基づいて絞込みを行うことを指示するボタンを選択すると、その旨の情報が投資銘柄選定支援装置１へ送信される。そして投資銘柄順位決定部１０５が、最後に画面に表示されている投資銘柄の投資指標の値を投資銘柄情報記憶部１０７から読み込んで、投資銘柄の順位を決定する。そして、所定の数の投資銘柄の一覧の他に、投資銘柄の選択を促すボタンや、投資指標の選択を促すボタンや、投資指標に基づいて絞込みを行うことを指示するボタンなどが表示される画面を新たに生成し、当該画面のデータがウェブサーバ処理部１０３を介して端末２に送信される。なお、画面が生成される度に、画面に表示される一覧の数は減じられる。これにより、絞込みの指示を行うことにより、一覧として表示される投資銘柄が少なくなっていく。
【００２４】
またある程度の絞込みが行われた際の画面には、注文ボタンが表示されており、このボタンを押下することにより、ユーザは投資銘柄の購入の指示を行うことができる。この際、株数量などの情報と共に、購入の指示を端末２に行う。するとその購入の情報が端末２から投資銘柄選定支援装置１へ送信され、購入の処理が行われる（ステップＳ１０９）。
【００２５】
図４は端末に表示される画面イメージを示す図である。
この図が示すように、端末２のモニタには投資銘柄の一覧と、投資指標の一覧とが表示される。また投資指標の「説明」のボタンを押下することで、各投資指標の説明の情報を端末に表示することができ、また絞込みを押下することで、その投資指標に基づく絞込みが行われて、投資銘柄一覧が更新される。
【００２６】
なお、本システムは、ユーザがどのような観点で銘柄選定しているのかや、どのような投資銘柄に興味があるのかを、投資銘柄の選定方法などに基づいて分析する処理を行う。また、本システムの管理者は受講者となるユーザの進捗具合や理解度を把握する処理を行う。
【００２７】
以上の処理を繰り返す事により、株購入に関して初心者であるユーザにとっても、投資指標の説明情報を参照しながら、投資銘柄の絞込みを行っていき、容易に投資銘柄の選定をすることができる。
【００２８】
なお上述の投資銘柄選定支援装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２９】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３０】
【図１】投資銘柄選定支援装置の構成を示すブロック図である。
【図２】投資銘柄選定支援装置１の処理概要を示す図である。
【図３】投資銘柄選定支援装置の処理フローを示す図である。
【図４】端末に表示される画面イメージを示す図である。
【符号の説明】
【００３１】
１・・・投資銘柄選定支援装置
２・・・端末
３・・・通信ネットワーク
１０１・・・通信部
１０２・・・制御部
１０３・・・ウェブサーバ処理部
１０４・・・銘柄選定部
１０５・・・投資銘柄順位決定部
１０６・・・購入受付部
１０７・・・投資銘柄情報記憶部
１０８・・・株主優待重視銘柄記憶部
１０９・・・株価配当重視銘柄記憶部
１１０・・・キャピタルゲイン重視銘柄記憶部
１１１・・・説明情報記憶部
１１２・・・顧客情報記憶部
【図１】
2006277463.tif 000003
【図２】
2006277463.tif 000004
【図３】
2006277463.tif 000005
【図４】
2006277463.tif 000006